(57)【要約】【課題】木製の枠体に尿が付着しにくく、利用者が開脚した姿勢をとりやすいポータブルトイレを提供する。【解決手段】平面視において、トレイ１４の左の周縁部６２ｋ、右の周縁部６２ｋ、前方部分は、それぞれ枠体１２の左面材１２ｂ、右面材１２ｃ、前面材１２ａと重なっている。側面視において、前記左右の周縁部６２ｋの上縁は、左面材１２ｂおよび右面材１２ｃの上縁よりも上方にて水平方向に直線状に延びた直線部と、前記直線部から前下がりに傾斜した傾斜部とを有している。トレイ１４の前方部分の左前部分および右前部分には、前方に向けて低くなる傾斜面と、左右方向の中央に向けて低くなる傾斜面とが形成されている。【選択図】図６
2018023827.tif 000002
【特許請求の範囲】
【請求項１】
木製の枠体と、
樹脂製のトレイと、
を備え、
前記枠体は、左面材と、前記左面材の右方に配置された右面材と、前記左面材の前部と前記右面材の前部との間に架け渡された前面材と、を有し、
前記トレイは、前記左面材の上方に配置された左の周縁部と、前記左の周縁部の右方に配置されかつ前記右面材の上方に配置された右の周縁部と、前記左の周縁部と前記右の周縁部との間に架け渡され、前記前面材の上方に配置された前方部分と、を有し、
平面視において、前記左の周縁部は前記左面材と重なり、前記右の周縁部は前記右面材と重なり、前記前方部分は前記前面材と重なり、
側面視において、前記左の周縁部および前記右の周縁部の上縁は、前記左面材および前記右面材の上縁よりも上方にて水平方向に直線状に延びた直線部と、前記直線部から前下がりに傾斜した傾斜部とを有し、
前記前方部分の左前部分および右前部分には、前方に向けて低くなる傾斜面と、左右方向の中央に向けて低くなる傾斜面とが形成されている、ポータブルトイレ。
【請求項２】
前記トレイの前記左右の周縁部の上面と前記前方部分の前面の一部とは、前方に行くほど下方に向かうように段差なく連続している、請求項１に記載のポータブルトイレ。
【発明の詳細な説明】
【技術分野】
【０００１】
本発明はポータブルトイレに関する。
【背景技術】
【０００２】
例えば、特開２００５−３０４６９４号公報および特開２０１４−６４６０１号公報には、木材によって形成された枠体に、汚水受け、バケツ、便座などを配置した家具調ポータブルトイレが開示されている。ここで、枠体は、便器外殻とも称される。汚水受けは、便座受け、受け板などと称される。バケツは、汚物ポットとも称される。
【先行技術文献】
【特許文献】
【０００３】
【特許文献１】特開２００５−３０４６９４号公報
【特許文献２】特開２０１４−６４６０１号公報
【発明の概要】
【発明が解決しようとする課題】
【０００４】
いわゆる家具調ポータブルトイレは、木製の枠体に、汚水受けが載せられているが、飛散した尿が木製の枠体に付着することで、枠体に臭いが付着したり、枠体が腐敗したりする場合があった。
【課題を解決するための手段】
【０００５】
ここで提案されるポータブルトイレは、木製の枠体と、樹脂製のトレイとを備えている。前記枠体は、左面材と、前記左面材の右方に配置された右面材と、前記左面材の前部と前記右面材の前部との間に架け渡された前面材と、を有している。前記トレイは、前記左面材の上方に配置された左の周縁部と、前記左の周縁部の右方に配置されかつ前記右面材の上方に配置された右の周縁部と、前記左の周縁部と前記右の周縁部との間に架け渡され、前記前面材の上方に配置された前方部分と、を有している。平面視において、前記左の周縁部は前記左面材と重なり、前記右の周縁部は前記右面材と重なり、前記前方部分は前記前面材と重なっている。側面視において、前記左の周縁部および前記右の周縁部の上縁は、前記左面材および前記右面材の上縁よりも上方にて水平方向に直線状に延びた直線部と、前記直線部から前下がりに傾斜した傾斜部とを有している。前記前方部分の左前部分および右前部分には、前方に向けて低くなる傾斜面と、左右方向の中央に向けて低くなる傾斜面とが形成されている。
【図面の簡単な説明】
【０００６】
【図１】図１は、ポータブルトイレ１０の断面図である。
【図２】図２は、枠体１２の平面図である。
【図３】図３は、枠体１２の正面図である。
【図４】図４は、枠体１２の左側面図である。
【図５】図５は、左面材１２ｂの右側面図である。
【図６】図６は、トレイ１４の斜視図である。
【図７】図７は、バケツ１６が載せられたトレイ１４の斜視図である。
【図８】図８は、下側部材６４の斜視図である。
【図９】図９は、トレイ１４が載せられた枠体１２の前部を拡大したポータブルトイレ１０の縦断側面図である。
【図１０】図６のＸ−Ｘ断面図である。
【図１１】図１１は、ポータブルトイレ１０の平面図である。
【図１２】図１２は、他の実施形態に係るポータブルトイレ１０Ａを示す断面図である。
【発明を実施するための形態】
【０００７】
以下、ここで提案されるポータブルトイレを図面に基づいて説明する。各図において同じ作用を奏する部材や部位には、同じ符号を付し、適宜に重複する説明を省略している。ここでは、説明の便宜上、ポータブルトイレに対して適宜に、前後左右の方向を設定する。図面上、前をＦ、後をＢ、左をＬ、右をＲ、上をＵ、下をＤと表す。ここでは、ポータブルトイレに座る使用者の通常の姿勢を基準に、使用者の前方を前、後方を後とし、左右および上下が定められている。
【０００８】
〈ポータブルトイレ１０〉
図１は、ポータブルトイレ１０の断面図である。ポータブルトイレ１０は、図１に示すように、枠体１２と、トレイ１４と、バケツ１６とを備えている。バケツ１６には、蓋２２が取り付けられている。トレイ１４には、便座２４と上蓋２６とが取り付けられている。また、トレイ１４の後部には、脱臭装置２８が取り付けられている。また枠体１２には、肘掛け３２、３３（図２参照）と背もたれ３４（図１参照）と、脚４２、４３（図３参照）とが取り付けられている。
【０００９】
〈枠体１２〉
図２は、枠体１２の平面図である。図３は、枠体１２の正面図である。図４は、枠体１２の左側面図である。枠体１２は、木製の部材であり、図２に示すように、前面材１２ａと、左面材１２ｂと、右面材１２ｃと、後面材１２ｄとを備えている。
【００１０】
前面材１２ａは、枠体１２のうち、バケツ１６が配置される領域Ａ１の前側に配置される部材である。左面材１２ｂは、バケツ１６が配置される領域Ａ１の左方に配置される部材である。右面材１２ｃは、バケツ１６が配置される領域Ａ１の右方に配置される部材である。後面材１２ｄは、バケツ１６が配置される領域Ａ１の後ろ側に配置される部材である。
【００１１】
この実施形態では、前面材１２ａは、板状の部材であり、左面材１２ｂの前部と、右面材１２ｃの前部との間に渡されている。前面材１２ａの下縁は、左右方向の中央部１２ａ１において上方に高くなっている。このポータブルトイレ１０では、中央部１２ａ１の下に広い空間Ｓ２が確保されている。なお、この実施形態で、バケツ１６が配置される領域Ａ１は、前面材１２ａと、左面材１２ｂと、右面材１２ｃと、後面材１２ｄとで囲まれた空間である。バケツ１６が配置される領域Ａ１は、バケツ１６が大凡収容されているとよい。この実施形態では、バケツ１６の一部（上縁部の前側の部位）が前面材１２ａよりも前方にはみ出ているが、前面材１２ａは、バケツ１６が配置される領域Ａ１の前側に配置されているものとする。
【００１２】
この実施形態では、左面材１２ｂと右面材１２ｃは、それぞれ複数の部材が組み合わされている。図５は、左面材１２ｂの右側面図であり、左面材１２ｂの内側を示している。
【００１３】
左面材１２ｂは、図５に示すように、前側部材１２ｂ１と、後側部材１２ｂ２とを備えている。前側部材１２ｂ１の上部には、外方（左面材１２ｂでは左方）に座面を延ばすように配置された移乗補助部材１２ｂ３が取り付けられている。後側部材１２ｂ２は、前側部材１２ｂ１の後ろ縁に接続されている。後側部材１２ｂ２の上部は上方に延びており、その上縁に背もたれ３４（図１参照）を支持する支柱部材１２ｂ４が設けられている。左面材１２ｂの内側には、トレイ１４を支持する支持板１２ｂ５と、高さ調節ブロック１２ｂ６と、左脚４２とが取り付けられている。支持板１２ｂ５は、前後に延びる棒状の部材で、左面材１２ｂの内側において、所定の高さに取り付けられている。
【００１４】
左脚４２は、左面材１２ｂの前後において上下方向に延びた脚体４２ａ，４２ｂと、前後の脚体４２ａ，４２ｂの間に渡された間材４２ｃと、前後の脚体４２ａ，４２ｂの下端に取り付けられたベース４２ｄとを備えている。ベース４２ｄの後端には、キャスター４２ｅが取り付けられている。
【００１５】
右面材１２ｃと右脚４３（図３参照）は、左面材１２ｂと左脚４２とそれぞれ同様の構造である。つまり、右面材１２ｃは、図１に示すように、前側部材１２ｃ１と、後側部材１２ｃ２と、移乗補助部材１２ｃ３（図３参照）と、背もたれ３４の支柱部材１２ｃ４とを備えている。右面材１２ｃの内側には、図２に示すように、支持板１２ｃ５と、高さ調節ブロック１２ｃ６と、右脚４３とが取り付けられている。ここで、図２では、右側の支持板１２ｃ５は、前後方向の中間部分が破断された状態で示されており、高さ調節ブロック１２ｃ６が図示されている。右脚４３は、図１および図３に示すように、前後の脚体４３ａ，４３ｂと、間材４３ｃ（図２参照）と、ベース４３ｄと、キャスター４３ｅとを備えている。
【００１６】
左面材１２ｂと右面材１２ｃには、それぞれ肘掛け３２，３３が取り付けられている。左側の肘掛け３２は、図４に示すように、肘掛基材３２ａと肘掛部材３２ｂとヒンジ３２ｃと操作機構３２ｄとを備えている。このうち肘掛基材３２ａは、板状の部材であり、左面材１２ｂの左側面（外側面）に取り付けられている。肘掛部材３２ｂは、肘掛基材３２ａの上縁の後端部にヒンジ３２ｃを介して取り付けられている。操作機構３２ｄは、肘掛部材３２ｂの下面に取り付けられている。この実施形態では、肘掛部材３２ｂの下面を操作し、肘掛部材３２ｂと肘掛基材３２ａとの係合を解除し、肘掛部材３２ｂを上方に回動させることができる。肘掛部材３２ｂの下面で操作してそのまま肘掛部材３２ｂを上方に挙げれば良いので、肘掛部材３２ｂの操作が片手で行える。右側の肘掛け３３は、図３に示すように、左側の肘掛け３２と同様に、肘掛基材３３ａと肘掛部材３３ｂとヒンジ３３ｃと操作機構３３ｄとを備えており、右面材１２ｃの右側面（外側面）に取り付けられている。
【００１７】
後面材１２ｄは、図２および図５に示すように、左面材１２ｂと右面材１２ｃの後部に渡されている。この実施形態では、後面材１２ｄは、第１後面材１２ｄ１と、第２後面材１２ｄ２とを備えている。第１後面材１２ｄ１は、それぞれ棒状の板材である。第１後面材１２ｄ１は、左面材１２ｂと右面材１２ｃの後部において、第２後面材１２ｄ２よりも上側に配置されている。第２後面材１２ｄ２は、左面材１２ｂと右面材１２ｃの後部において、下部に配置されている。
【００１８】
〈トレイ載置部５０〉
枠体１２は、トレイ１４を予め定められた位置に載置するトレイ載置部５０を有している。この実施形態では、トレイ載置部５０は、図２に示すように、前面材１２ａと、左右の支持板１２ｂ５，１２ｃ５と、第１後面材１２ｄ１との各部材の上面に設けられている。
【００１９】
〈押さえ部材１２ｅ〉
枠体１２は、トレイ載置部５０に載置されたトレイ１４の後部１４ｂの上面に当たる押さえ部を備えているとよい。トレイ１４の後部１４ｂの上面に当たる押さえ部として、この実施形態では、後面材１２ｄ（ここでは、第１後面材１２ｄ１）の上方に押さえ部材１２ｅが配置されている。押さえ部材１２ｅは、図３に示すように、左右の面材１２ｂ，１２ｃからそれぞれ内側に突出している。押さえ部材１２ｅは、図１に示すように、トレイ載置部５０に載置されたトレイ１４の後部１４ｂの上面のすぐ上に配置されている。枠体１２に対してトレイ１４の前部１４ａが押し下げられる場合には、トレイ１４の後部１４ｂの上面が押さえ部材１２ｅに当たる。このため、トレイ載置部５０に載置されたトレイ１４の前部１４ａが押し下げられない。
【００２０】
例えば、介護を要する使用者をベッドからポータブルトイレ１０に移乗させるような場合には、使用者が便座２４に対して適切な位置よりも前側にずれて座る状態が生じうる。トレイ１４には、便座２４が設けられており、便座２４を通じてトレイ１４に使用者の体重が掛かる。このポータブルトイレ１０では、トレイ１４が、前面材１２ａよりも前方に出ている。このため、使用者の体重がトレイ１４の前部１４ａに掛かった場合には、枠体１２の前面材１２ａが支点となってトレイ１４の前部１４ａが押し下げられ、かつ、トレイ１４の後部１４ｂが持ち上がるように力が作用する。この実施形態では、枠体１２には、トレイ載置部５０に載置されるトレイ１４の後部１４ｂの上に、押さえ部材１２ｅが設けられている。このため、トレイ１４の後部１４ｂが持ち上がるような力が作用してもトレイ１４の後部１４ｂが、押さえ部材１２ｅに当たる。このように押さえ部材１２ｅが当たっていると、トレイ１４の前部１４ａが大きく押し下げられない。
【００２１】
〈トレイ１４〉
トレイ１４は、樹脂製であり、バケツ１６を予め定められた位置に載置するバケツ載置部１４ｃを有している。トレイ１４は、枠体１２のトレイ載置部５０に載置される。トレイ載置部５０に載置されたトレイ１４の前部１４ａは、平面視において、枠体１２の前面材１２ａよりも前に出ている。このように、トレイ１４が、前面材１２ａよりも前方に出ているので、前面材１２ａに尿がかかりにくい。この観点において、トレイ１４の前部１４ａは、前面材１２ａの最前部１２ａ２（この実施形態では、上部の前縁（図９参照））よりも５ｍｍ以上、好ましくは１ｃｍ以上、前方に出ているとよい。また、トレイ１４が前面材１２ａによって安定して支持されているには、トレイ１４が前面材１２ａよりも前方に出ている距離は、例えば、８ｃｍ以下、好ましくは５ｃｍ以下であるとよい。この実施形態では、トレイ１４の前部１４ａは、前面材１２ａの最前部１２ａ２よりも大凡３ｃｍ前方に出ている。また、トレイ１４の前面上部は、図９に示すように、前方に向かうにつれて下方に傾斜した傾斜面１４ｄと、傾斜面１４ｄの下縁から後方へ窪む段差１４ｄ１とを備えている。この場合、傾斜面１４ｄを伝う尿が、傾斜面１４ｄの下縁から床に落ちやすい。このため、トレイ１４の前面を尿が伝う場合でも、枠体１２の前面材１２ａに尿がかかりにくい。また、トレイ１４は、バケツ載置部１４ｃに載置されるバケツ１６の外側を覆うバケツ収容部１４ｅを備えているとよい。トレイ１４が、バケツ１６の外側を覆っていることにより、ポータブルトイレ１０の外観印象が向上する。
【００２２】
図６は、トレイ１４の斜視図である。図７は、バケツ１６が載せられたトレイ１４の斜視図である。図８は、下側部材６４の斜視図である。図９は、トレイ１４が載せられた枠体１２の前部の拡大したポータブルトイレ１０の縦断側面図である。図９ではトレイ１４に載置されたバケツ１６は、２点鎖線で示されている。図１０は、トレイ１４の横断正面図であり、図６のＸ−Ｘ断面図である。この実施形態では、トレイ１４は、図６に示すように、上側部材６２と下側部材６４とを備えている。
【００２３】
〈上側部材６２〉
上側部材６２は、図６および図７に示すように、バケツ１６を予め定められた位置に載置するバケツ載置部１４ｃと、バケツ載置部１４ｃに載置されたバケツ１６の周りに延びた受け部６２ｂとを備えている。この実施形態では、トレイ１４の上側部材６２は、中央部にバケツ１６が装着される開口６２ｃを有している。開口６２ｃの周囲には、上方に立ち上がった内壁６２ｄが設けられている。バケツ載置部１４ｃは、内壁６２ｄの上縁に設けられている。当該内壁６２ｄの外周には、窪み６２ｅが設けられている。窪み６２ｅの外周には上方に立ち上がった外壁６２ｆが設けられている。外壁６２ｆには、段差があり、便座２４が載置される載置部６２ｇが設けられている。
【００２４】
このように、上側部材６２は、バケツ１６の周りに尿を受ける受け部６２ｂが設けられている。上側部材６２は、いわゆる「受け板」として機能する。上側部材６２は、下側部材６４の上に被せられている。上側部材６２の前部６２ａには、図９に示すように、外壁６２ｆの上部が外側へ折れ曲がって下方に延びた外縁部６２ｈを備えている。外壁６２ｆと、下方に延びた外縁部６２ｈとの間にはリブ６２ｉが設けられている。また、上側部材６２の後部６２ｍには、図６に示すように、脱臭装置２８へと繋がる空気のダクト接続口６２ｎが設けられている。
【００２５】
〈下側部材６４〉
下側部材６４は、図１に示すように、バケツ収容部１４ｅを備えている。この実施形態では、バケツ収容部１４ｅは、バケツ載置部１４ｃに載置されるバケツ１６の外側を覆い、かつ、バケツ１６の底を囲んでいる。つまり、バケツ１６の外周面１６ａは、トレイ１４の下側部材６４によって大凡囲まれている。このため、バケツ１６の外周面１６ａを伝うなどして下側部材６４の内側に溢れた尿は、バケツ収容部１４ｅによって受けられる。このバケツ収容部１４ｅによって、下側部材６４は、いわゆる「汚水受け」として機能する。
【００２６】
また、下側部材６４は、枠体１２に設けられたトレイ載置部５０に載せられる。図９に示すように、下側部材６４の前部６４ａの下面には、枠体１２の前面材１２ａの上に載せられる面６４ｂと、当該面６４ｂから前面材１２ａの後面（内側面）に沿って下方に延びた面６４ｃとを有している。
【００２７】
また、下側部材６４の前部６４ａは、図８に示すように、上方に突出した突起６４ｆを有している。突起６４ｆは、平面視において前部６４ａの上縁６４ｅよりも内側（後方）に設けられている。これに対して、上側部材６２の前部６２ａの裏面は、図９に示すように、突起６４ｆに当たる当り部６２ｊを有している。上側部材６２の前部６２ａが下側部材６４の突起６４ｆによって支持されている。このように、この実施形態では、トレイ１４の前部１４ａにおいて、上側部材６２が下側部材６４に安定して支持されるとともに、所要の強度が確保されている。また、トレイ１４の前部１４ａの支持構造として、上述した突起６４ｆが設けられていることによって、下側部材６４の前部６４ａの上縁６４ｅに荷重が集中するのを防止できる。また、この実施形態では、下側部材６４の底面６４ｇが上方に盛り上げられた突起６４ｆが設けられている。下側部材６４の底面６４ｇが盛り上げて突起６４ｆが設けられているので、部品点数が多くならない。さらに突起６４ｆが設けられた下側部材６４の上面が連続した面になるので、下側部材６４の上面が拭きやすく掃除が容易になる。
【００２８】
また、下側部材６４の前部６４ａの上縁６４ｅは、上側部材６２に当たっている。下側部材６４の前部６４ａの上縁６４ｅが上側部材６２に当たっていることによって、上側部材６２に作用する荷重は、下側部材６４に支持される。この実施形態では、トレイ１４の前部１４ａでは、上側部材６２の外縁部６２ｈの裏面（下面）に設けられたリブ６２ｉに下側部材６４の上縁６４ｅが当たっている。このことによって、上側部材６２に作用する荷重が下側部材６４に支持されるのでトレイ１４の前部１４ａが変形しにくい。
【００２９】
また、この実施形態では、トレイ１４の前面上部は、前方に向かうにつれて下方に傾斜した傾斜面１４ｄを備えている。そして、この傾斜面１４ｄの下縁から後方に窪んだ段差１４ｄ１が設けられている。この実施形態では、トレイ１４の前面では、上側部材６２の外縁部６２ｈが下側部材６４の前部６４ａの上縁６４ｅを覆っている。当該外縁部６２ｈの前面６２ｈ１は、上部から下部に向かうにつれて前方に傾斜している。そして、前面６２ｈ１の下縁の内側に下側部材６４の上縁６４ｅが嵌まっており、前面６２ｈ１の下縁から後方に窪んだ段差１４ｄ１が形成されている。このため、トレイ１４から前方に溢れた尿が、上側部材６２の外縁部６２ｈの前面６２ｈ１を伝う場合、外縁部６２ｈの前面６２ｈ１の下縁から床に落ちる。このため、下側部材６４には伝わりにくい。さらに、この実施形態では、下側部材６４の前面６４ｈは、前部６４ａの上縁６４ｅから下方に向かうにつれて後方に傾斜している。このため、尿が下側部材６４の前面６４ｈを伝う場合でも、尿はその途中で下側部材６４の前面６４ｈから下方に落ちやすい。さらに、下側部材６４の前面６４ｈの下端は、前面材１２ａよりも前に出ている。この実施形態では、下側部材６４の前面６４ｈの下端は、前面材１２ａよりも５ｍｍ以上（１ｃｍ程度）前に出ている。このため、下側部材６４の前面６４ｈを伝う尿は、枠体１２の前面材１２ａにまで到達しにくく、ポータブルトイレ１０の前面において尿が枠体１２に付着しにくい。
【００３０】
また、図１０に示すように、トレイ１４の左右両側においても、上側部材６２の周縁部６２ｋが、下側部材６４の上縁６４ｉに被さっている。このため、上側部材６２と下側部材６４の変形が小さく抑えられ、全体としてトレイ１４の変形が小さく抑えられる。また、便座２４が載置される上側部材６２の載置部６２ｇの裏面に当たるように、下側部材６４に段差６４ｊが設けられている。当該下側部材６４の段差６４ｊの裏面（下面）は、左面材１２ｂと右面材１２ｃの内側に設けられた支持板１２ｂ５、１２ｃ５（図３参照）に載せられる。このように、下側部材６４は、前後、左右において、枠体１２に設けられたトレイ載置部５０に載置されている。便座２４が載置される上側部材６２の載置部６２ｇは、下側部材６４および枠体１２によって支持されている。
【００３１】
また、トレイ１４の後部１４ｂでは、図７および図８に示すように、下側部材６４の後部６４ｋに、上側部材６２の後部６２ｍが被さっている。図１に示すように、上側部材６２の後部６２ｍと下側部材６４の後部６４ｋは、上下に重ねられて枠体１２の第１後面材１２ｄ１に載せられており、押さえ部材１２ｅによって上面が押さえられている。当該部位は、トレイ１４の前部が下側に荷重を受けた際に持ち上げられ、押さえ部材１２ｅに押し当たる。この実施形態では、上側部材６２の後部６２ｍと下側部材６４の後部６４ｋとが重ねられているので、所要の強度が確保されている。また、下側部材６４の後部６４ｋには、上側部材６２のダクト接続口６２ｎに対応して、脱臭装置２８が保持される脱臭装置保持部６４ｍが設けられている。
【００３２】
このように、このポータブルトイレ１０は、トレイ載置部５０に載置されたトレイ１４の前部１４ａが、平面視において、枠体１２の前面材１２ａよりも前に出ており、枠体１２が汚れにくい。枠体１２の前面材１２ａよりも前に出ていることに関連し、枠体１２に設けられた押さえ部（上述した実施形態では、押さえ部材１２ｅ）によって、トレイ１４の後部が浮き上がるのを防止されている。また、トレイ１４の前部の強度向上についても種々工夫されている。また、ポータブルトイレ１０の前面に尿が漏れにくい構造とすることや、使用者および介助者の便宜などが図られている。
【００３３】
例えば、このポータブルトイレ１０では、図１に示すように、枠体１２に載置されるトレイ１４にバケツ１６が載置されている。前面材１２ａは、バケツ１６の外周面の前に配置されている。具体的には、前面材１２ａは、枠体１２に対して予め定められた位置に配置されたバケツ１６の外周面のうち、バケツ１６の上下方向の中間部においてバケツ１６の外周面１６ａよりも前方に配置されている。図１に示す形態では、バケツ１６の上下方向の中間部において、バケツ１６の外周面１６ａは、後述されるトレイ１４の下側部材６４によって囲まれている。前面材１２ａは、かかる下側部材６４の前に配置されている。なお、この実施形態では、前面材１２ａは、板状の部材であるが、板状であることに限定されない。また、前面材１２ａは、枠体１２の構成部材であって、左面材１２ｂの前部と、右面材１２ｃの前部との間に掛け渡されており、枠体１２に対して予め定められた位置に配置されるバケツ１６の外周面よりも前方に配置された部材であればよい。
【００３４】
このポータブルトイレ１０では、図１に示すように、バケツ１６の上縁における、バケツ１６の内周面の最前部１６ｂは、平面視において枠体１２のうち前面材１２ａよりも前に出ている。より具体的には、図１は、ポータブルトイレ１０の左右方向の中央部に沿った断面図であり、図１に示すように、ポータブルトイレ１０の左右方向中央部において、バケツ１６の内周面の最前部１６ｂは、枠体１２の前面材１２ａよりも前に出ている。より具体的には、枠体１２の前面材１２ａの上部の前縁よりも、バケツ１６の内周面の最前部１６ｂが前方に出ているとよい。この場合、前面材１２ａは、最前部１２ａ２を基準とする。例えば、バケツ１６の最前部１６ｂは、前面材１２ａの最前部１２ａ２よりも５ｍｍ以上、好ましくは１ｃｍ以上、前方に出ているとよい。
【００３５】
ここで、図１１は、ポータブルトイレ１０の平面図であり、ポータブルトイレ１０に通常の使用姿勢で座る使用者が仮想線Ｈによって示されている。ポータブルトイレ１０では、図１１に示すように、ポータブルトイレ１０に座る使用者Ｈの鼠径部ｈ１に対して、バケツ１６の上縁における内周面の最前部１６ｂに至る空間Ｓ１が広く確保されうる。そして、バケツ１６の上縁における内周面の最前部１６ｂに至る空間Ｓ１が広く確保されているので、バケツ１６の上縁よりも前方に尿が漏れにくくなる。この点について、補足すると、バケツ１６の上縁における内周面の最前部１６ｂに至る空間Ｓ１が広く確保されているので、バケツ１６の上に配置される便座２４の開口２４ａも前方に広く確保されうる。このため、便座２４の開口より外部に飛散することが低減されうる。
【００３６】
また、図１に示すように、バケツ１６の上縁における、バケツ１６の内周面の最前部１６ｂよりも、枠体１２の前面材１２ａが後方に位置している。このためポータブルトイレ１０の前面（換言すれば、枠体１２の前面材１２ａの前方）には、便座２４の前縁よりもポータブルトイレ１０の内側に大きく入り込んだ空間Ｓ２が確保されうる。このような空間Ｓ２が確保されていることによって、ポータブルトイレ１０に座っている使用者は、自身の重心近くにより深く脚を引き寄せることができ、ポータブルトイレ１０から立ち上がる動作が容易になる。また、このような空間Ｓ２が確保されていることによって、使用者がポータブルトイレ１０から立ち上がったり、ポータブルトイレ１０に移乗したりする際に介助が必要である場合、介助者にとっても、この空間Ｓ２があることによって足をポータブルトイレ１０の下に深く踏み込むことができる。これにより、介助者の重心を、ポータブルトイレ１０に座る使用者の重心に近づけることができるので、介助者の負担が大きく軽減されうる。
【００３７】
以上、ポータブルトイレ１０の一実施形態を説明したが、ここで提案されるポータブルトイレは、特に言及されない限りにおいて、上述した実施形態に限定されない。
【００３８】
例えば、枠体１２やトレイ１４の具体的な構造は、特に言及されない限りにおいて、上述した実施形態に限定されない。
【００３９】
例えば、トレイ１４は、上側部材６２と下側部材６４とで構成された形態を例示しているが、トレイ１４は、バケツ載置部１４ｃを備えているとよく、例えば、下側部材６４は、無くてもよい。つまり、トレイ１４は、いわゆる受け板と称される部材で構成されていてもよい。図１２は、他の実施形態に係るポータブルトイレ１０Ａを示す断面図である。このポータブルトイレ１０Ａでは、トレイ１４は、上述した上側部材６２に準じた構造を有しており、枠体１２のトレイ載置部５０に直接載置されている。図１２に示すように、トレイ１４は、上側部材６２の前面６２ｈ１（図１参照）に準じた傾斜面１４ｄを有しており、枠体１２の前面材１２ａに載せられていてもよい。
【００４０】
図１２に示す形態では、ポータブルトイレ１０Ａは、トレイ１４とは別体で、化粧板６６を備えている。化粧板６６は、枠体１２の前側に配置され、左右方向の中間部が前方に湾曲し、かつ、上部から下部に向かうにつれて後方に傾斜した傾斜面６６ａを備えている。化粧板６６は、ポータブルトイレ１０Ａの前面において、バケツ１６およびトレイ１４の下部を隠すことができるとともに、尿が枠体１２（枠体１２の前面材１２ａ）に付着するのを防止できる。化粧板６６は、枠体１２（例えば、前面材１２ａ、左面材１２ｂ、右面材１２ｃなど）に取り付けられていてもよい。また、化粧板６６は、トレイ１４に取り付けられていてもよい。また、化粧板６６は、上述のようにトレイ１４が上側部材６２と下側部材６４とで構成されている場合に取り付けられていてもよい。また、化粧板６６は、上部から下部に向かうにつれて後方に傾斜した傾斜面６６ａを備えているので、足下のスペースを広く確保できる。
【００４１】
（他の発明）
ここで提案されるポータブルトイレは、木製の枠体と、樹脂製のトレイとを備えている。枠体は、トレイを予め定められた位置に載置するトレイ載置部を有している。トレイ載置部に載置されたトレイの前部は、平面視において、枠体よりも前に出ている。この場合、枠体に尿が付着しにくい。
【００４２】
この場合、例えば、トレイは、バケツを予め定められた位置に載置するバケツ載置部を有し、枠体は、トレイに載置されたバケツの外周面の前に配置される前面材を有していてもよい。そして、バケツの上縁において内周面の最前部は、平面視において枠体のうち前面材よりも前に出ているとよい。この構成によって、例えば、バケツの内周面が前方に広くなり、ポータブルトイレの前方に尿が漏れにくい。
【００４３】
また、枠体は、トレイ載置部に載置されたトレイの後部の上面に当たる押さえ部を備えていてもよい。この構造によって、トレイの後部が浮き上がるのを防止できる。また、トレイの前面上部は、前方に向かうにつれて下方に傾斜した傾斜面と、傾斜面の下縁から後方へ窪む段差とを備えていてもよい。この場合、トレイ前面上部に前方に傾斜した傾斜面と、傾斜面の下縁から後方へ窪む段差とがあるので、傾斜面を伝う尿が、傾斜面の下縁から床に落ちやすい。このため、トレイの前面から漏れた尿が枠体に伝わりにくくなる。また、前面材の前側に配置され、左右方向の中間部が前方に湾曲し、かつ、上部から下部に向かうにつれて後方に傾斜した傾斜部を備えた化粧板を備えていてもよい。
【００４４】
また、トレイは、トレイ載置部に載置される下側部材と、下側部材の上に載置される上側部材とを備えていてもよい。上側部材は、バケツを予め定められた位置に載置するバケツ載置部と、バケツ載置部に載置されたバケツの周りに延びた受け部とを備えているとよい。この場合、汚水がこぼれた場合、上側部材のみ掃除できるため、掃除が容易である。
【００４５】
また、下側部材の前部には、平面視において、上縁よりも内側に、上方に突出した突起を有しているとよい。上側部材の前部には、突起に当たる当り部を有するとよい。突起が設けられていることによって、上側部材を安定して支持できる。突起は、下側部材の底面を上方に盛り上げた構造を有していてもよい。この構造によれば、下側部材の上面が連続するので拭きやすく、掃除が容易になる。また、下側部材の前部の上縁は、上側部材に当たっていてもよい。
【００４６】
トレイは、バケツ載置部に載置されるバケツの外側を覆うバケツ収容部を備えていてもよい。これによって、ポータブルトイレの外観でバケツが見えにくくなり、ポータブルトイレの外観印象が良くなる。トレイが上側部材と下側部材とで構成されている場合には、下側部材は、バケツ載置部に載置されるバケツの外側を覆うバケツ収容部を備えていてもよい。
【００４７】
第１のポータブルトイレは、
木製の枠体と、
樹脂製のトレイと、
を備え、
前記枠体は、
前記トレイを予め定められた位置に載置するトレイ載置部を有し、
前記トレイ載置部に載置されたトレイの前部は、平面視において、前記枠体よりも前に出ているものである。
【００４８】
第２のポータブルトイレは、第１のポータブルトイレにおいて、
前記トレイは、バケツを予め定められた位置に載置するバケツ載置部を有し、
前記枠体は、前記トレイに載置された前記バケツの外周面の前に配置される前面材を有し、
前記バケツの上縁において内周面の最前部は、平面視において前記枠体のうち前記前面材よりも前に出ているものである。
【００４９】
第３のポータブルトイレは、第１または第２のポータブルトイレにおいて、
前記枠体は、前記トレイ載置部に載置された前記トレイの後部の上面に当たる押さえ部を備えたものである。
【００５０】
第４のポータブルトイレは、第１から第３までの何れか一つのポータブルトイレにおいて、
前記トレイの前面上部は、
前方に向かうにつれて下方に傾斜した傾斜面と、
傾斜面の下縁から後方へ窪む段差と
を備えているものである。
【００５１】
第５のポータブルトイレは、第１から第３までの何れか一つのポータブルトイレにおいて、
前記枠体の前方に配置され、左右方向の中間部が前方に湾曲し、かつ、上部から下部に向かうにつれて後方に傾斜した傾斜面を有する化粧板を備えたものである。
【００５２】
第６のポータブルトイレは、第１から第５までの何れか一つのポータブルトイレにおいて、
前記トレイは、
前記トレイ載置部に載置される下側部材と、
前記下側部材の上に載置される上側部材と
を備え、
前記上側部材は、
前記バケツを予め定められた位置に載置するバケツ載置部と、
前記バケツ載置部に載置されたバケツの周りに延びた受け部と
を備えたものである。
【００５３】
第７のポータブルトイレは、第６のポータブルトイレにおいて、
前記下側部材の前部は、平面視において上縁よりも内側に、上方に突出した突起を有しており、
前記上側部材の前部は、前記突起に当たる当り部を有するものである。
【００５４】
第８のポータブルトイレは、第７のポータブルトイレにおいて、
前記突起は、前記下側部材の底面が上方に盛り上げられているものである。
【００５５】
第９のポータブルトイレは、第６または第８のポータブルトイレにおいて、
前記下側部材の前部の上縁は、前記上側部材に当たっているものである。
【００５６】
第１０のポータブルトイレは、第１から第９までの何れか一つのポータブルトイレにおいて、
前記トレイは、
前記バケツ載置部に載置される前記バケツの外側を覆うバケツ収容部を備えたものである。
【００５７】
第１１のポータブルトイレは、第６から第９までの何れか一つのポータブルトイレにおいて、
前記下側部材は、
前記バケツ載置部に載置される前記バケツの外側を覆うバケツ収容部を備えたものである。
【産業上の利用可能性】
【００５８】
以上のとおり、ここで提案される発明は、ポータブルトイレに利用される。
【符号の説明】
【００５９】
１０，１０Ａ  ポータブルトイレ
１２  枠体
１２ａ  前面材
１２ａ１  前面材１２ａの中央部
１２ａ２  前面材１２ａの最前部
１２ｂ  左面材
１２ｃ  右面材
１２ｄ  後面材
１２ｅ  押さえ部材
１４  トレイ
１４ａ  トレイ１４の前部
１４ｂ  トレイ１４の後部
１４ｃ  バケツ載置部
１４ｄ  傾斜面
１４ｅ  バケツ収容部
１６  バケツ
１６ａ  外周面
１６ｂ  バケツ１６の内周面の最前部
２２  蓋
２４  便座
２６  上蓋
２８  脱臭装置
３２，３３  肘掛け
３４  背もたれ
４２  左脚
４３  右脚
５０  トレイ載置部
６２  上側部材
６２ａ  上側部材６２の前部
６２ｂ  受け部
６２ｃ  開口
６２ｄ  内壁
６２ｅ  窪み
６２ｆ  外壁
６２ｇ  載置部
６２ｈ  外縁部
６２ｈ１  上側部材６２の前面
６２ｉ  リブ
６２ｊ  当り部
６２ｋ  周縁部
６２ｍ  後部
６２ｎ  ダクト接続口
６４  下側部材
６４ａ  前部
６４ｅ  前部６４ａの上縁
６４ｆ  突起
６４ｇ  底面
６４ｈ  下側部材６４の前面
６４ｉ  上縁
６４ｊ  段差
６４ｋ  後部
６４ｍ  取付部
６６  化粧板
Ａ１  バケツ１６が配置される領域
【図１】
2018023827.tif 000003
【図２】
2018023827.tif 000004
【図３】
2018023827.tif 000005
【図４】
2018023827.tif 000006
【図５】
2018023827.tif 000007
【図６】
2018023827.tif 000008
【図７】
2018023827.tif 000009
【図８】
2018023827.tif 000010
【図９】
2018023827.tif 000011
【図１０】
2018023827.tif 000012
【図１１】
2018023827.tif 000013
【図１２】
2018023827.tif 000014